(57)【要約】挿入カテーテルが、低級アルコール、典型的にはエタノール、プロパノール、またはブタノール、最も好ましくはイソプロパノールと、添加剤とを含む溶液を用いてロックされ、添加剤は、抗菌剤、典型的にはタウロリジンおよびトリクロサン、または抗凝固剤、典型的にはリボフラビン、クエン酸ナトリウム、エチレンジアミンテトラ酢酸、およびクエン酸を含む。アルコールおよび添加剤溶液の使用は、カテーテルの汚損、特に血管内カテーテルでの詰まりおよび血栓を効果的に低減し、さらに感染の危険を低減することができる。感染の危険はさらに、低級アルコールと別の抗菌または抗凝固化合物との抗菌溶液がカテーテル本体（１０）内に、好ましくはカテーテル（１０）を介して挿入カテーテル（１０）を取り巻く組織内に浸透するのに十分な孔を有するカテーテル本体（１０）を採用することによって低減することができる。
2004516041.tif 000002
【特許請求の範囲】
【請求項１】
挿入可能カテーテルをロックするための材料の製造における溶液の使用であって、前記溶液が、低級アルコールと添加剤とを含む使用。
【請求項２】
低級アルコールが、エタノール、プロパノール、およびブタノールからなる群から選択される請求項１に記載の使用。
【請求項３】
低級アルコールがイソプロパノールである請求項２に記載の使用。
【請求項４】
添加剤が、タウロリジンおよびトリクロサンからなる群から選択される抗菌剤である請求項１から３のいずれかに記載の使用。
【請求項５】
添加剤が、リボフラビン、クエン酸ナトリウム、エチレンジアミンテトラ酢酸、およびクエン酸からなる群から選択される抗凝固剤である請求項１から３のいずれかに記載の使用。
【請求項６】
挿入可能カテーテルを消毒するための材料の製造における溶液の使用であって、前記溶液が、低級アルコールと添加剤とを含む使用。
【請求項７】
低級アルコールが、エタノール、プロパノール、およびブタノールからなる群から選択される請求項６に記載の使用。
【請求項８】
低級アルコールがイソプロパノールである請求項７に記載の使用。
【請求項９】
少なくとも１つの他の抗菌化合物が、タウロリジンおよびトリクロサンからなる群から選択される請求項６から８のいずれかに記載の使用。
【請求項１０】
少なくとも１つの抗凝固化合物が、リボフラビン、クエン酸ナトリウム、エチレンジアミンテトラ酢酸、およびクエン酸からなる群から選択される請求項６から８のいずれかに記載の使用。
【請求項１１】
少なくとも１つの低級アルコールと、
少なくとも１つの他の抗菌または抗凝固化合物と
を含むロック組成物で充填された挿入可能カテーテル。
【請求項１２】
低級アルコールが、エタノール、プロパノール、およびブタノールからなる群から選択される請求項１１に記載の挿入可能カテーテル。
【請求項１３】
低級アルコールがイソプロパノールである請求項１２に記載の挿入可能カテーテル。
【請求項１４】
少なくとも１つの他の抗菌化合物が、タウロリジンおよびトリクロサンからなる群から選択される請求項１１から１３のいずれかに記載の挿入可能カテーテル。
【請求項１５】
少なくとも１つの抗凝固化合物が、リボフラビン、クエン酸ナトリウム、エチレンジアミンテトラ酢酸、およびクエン酸からなる群から選択される請求項１１から１３のいずれかに記載の挿入可能カテーテル。
【請求項１６】
低級アルコールが約１％から９９％の範囲内にあり、少なくとも１つの他の抗菌化合物が約１％から９９％の範囲内にあるタウロリジンである請求項１１から１３のいずれかに記載の挿入可能カテーテル。
【請求項１７】
低級アルコールが約１％から９９％の範囲内にあり、少なくとも１つの他の抗菌化合物が約１％から９９％の範囲内にあるトリクロサンである請求項１１から１３のいずれかに記載の挿入可能カテーテル。
【請求項１８】
低級アルコールが約１％から９９％の範囲内にあり、少なくとも１つの抗凝固化合物が約１％から９９％の範囲内にあるリボフラビンである請求項１１から１３のいずれかに記載の挿入可能カテーテル。
【請求項１９】
低級アルコールが約１％から９９％の範囲内にあり、少なくとも１つの抗凝固化合物が約１％から９９％の範囲内にあるクエン酸ナトリウムである請求項１１から１３のいずれかに記載の挿入可能カテーテル。
【請求項２０】
低級アルコールが約１％から９９％の範囲内にあり、少なくとも１つの抗凝固化合物が約１％から９９％の範囲内にあるエチレンジアミンテトラ酢酸である請求項１１から１３のいずれかに記載の挿入可能カテーテル。
【請求項２１】
低級アルコールが約１％から９９％の範囲内にあり、少なくとも１つの抗凝固化合物が約１％から９９％の範囲内にあるクエン酸である請求項１１から１３のいずれかに記載の挿入可能カテーテル。
【請求項２２】
少なくとも１つの抗凝固化合物が約４体積％のリボフラビンである請求項１１から１３のいずれかに記載の挿入可能カテーテル。
【請求項２３】
少なくとも１つの抗凝固化合物が約４体積％のクエン酸ナトリウムである請求項１１から１３のいずれかに記載の挿入可能カテーテル。
【請求項２４】
少なくとも１つの抗凝固化合物が約４体積％のエチレンジアミンテトラ酢酸である請求項１１から１３のいずれかに記載の挿入可能カテーテル。
【請求項２５】
少なくとも１つの抗凝固化合物が約４体積％のクエン酸である請求項１１から１３のいずれかに記載の挿入可能カテーテル。
【請求項２６】
低級アルコールが約１７．５体積％のイソプロパノールであり、少なくとも１つの抗凝固化合物が約４体積％のクエン酸ナトリウムである請求項１１に記載の挿入可能カテーテル。
【請求項２７】
挿入可能カテーテルをロックするためのキットであって、
低級アルコールおよび添加剤を含む溶液の体積を保持する容器と、
溶液でカテーテルのルーメンを満たすことを含む方法を示す取扱説明と
を備えるキット。
【請求項２８】
さらに、容器と取扱説明の両方を保持するパッケージを備える請求項２７に記載のキット。
【請求項２９】
低級アルコールが、エタノール、プロパノール、およびブタノールからなる群から選択される請求項２７に記載のキット。
【請求項３０】
低級アルコールがイソプロパノールである請求項２９に記載のキット。
【請求項３１】
添加剤が、タウロリジンおよびトリクロサンからなる群から選択される抗菌剤である請求項２７に記載のキット。
【請求項３２】
添加剤が、リボフラビン、クエン酸ナトリウム、エチレンジアミンテトラ酢酸、およびクエン酸からなる群から選択される抗凝固剤である請求項２７に記載のキット。
【請求項３３】
体積が１ｍｌから２０ｍｌの範囲内にある請求項２７に記載のキット。
【請求項３４】
容器がシリンジを備える請求項２７に記載のキット。
【発明の詳細な説明】
【０００１】
（発明の背景）
１．発明の分野
本発明は、全体として医療方法および医療キットに関する。より詳細には、本発明は、次の使用までの間のカテーテルを閉じる前に挿入カテーテルの内部ルーメンを洗浄するための方法およびキットに関する。
【０００２】
挿入カテーテルは、多くの医療処置で広く使用されるようになっている。例えば静脈内（ＩＶ）療法は、患者に流体、薬物、および他の物質を注入するために静脈カテーテルを長期間挿入する。血液透析と血液濾過はどちらも、血液を体外で治療するために静脈内に挿入される個別の引出しカテーテルおよび戻しカテーテルを用いる。対照的に、腹膜透析は、ｉｎ  ｓｉｔｕ透析を可能にするために透析物を入れ、かつ引出すように腹膜内に挿入される単一カテーテルを用いている。
【０００３】
長期間にわたってカテーテルを挿入する必要性がいくつかの問題を生じる。例えば、患者を治療し、かつカテーテルを何度か取外するので、カテーテルは感染する可能性がある。これは、皮膚貫通が一般的な感染経路である経皮カテーテルで特に問題となる。第２に、挿入カテーテルはしばしば、時間の経過と共に詰まる、または汚損される可能性がある。これは、カテーテル・ルーメン内部の詰まりおよび血栓形成が問題となる場合がある血管内カテーテルで特に問題である。
【０００４】
血栓形成に関連する問題を低減するために、現在、次の使用との間に血管内アクセス・カテーテルを「ロック」するのが一般的である。ロックは、典型的には、まずカテーテルを食塩水で洗浄して、カテーテル・ルーメンから血液および他の物質を除去することを含む。カテーテルが洗浄された後、次いで抗凝固溶液、典型的にはヘパリンが、食塩水が除去されるように注入されて、ルーメンを満たす。ヘパリンロック液は、ルーメンから血液を除外することと、ルーメン内部での詰まりおよび血栓形成を積極的に妨げることの両方を行う。いくらかの血栓が依然としてカテーテルの遠位端に生じるが、この発生は通常最小限であり、問題をほとんど生じない。さらに、様々な抗菌物質をロック溶液と組み合わせて、血栓を妨げるのと同時に感染を妨げることが提案されている。
【０００５】
概して効果的ではあるが、ヘパリンロックの使用はいくつかの欠点を有する。あらゆるカテーテル治療セッションの終わりでのヘパリン溶液の調製の必要性は、時間がかかるものであり、介護者が誤って操作する可能性を生じる。血液透析および血液濾過患者は、週に少なくとも数回はそのようなヘパリンロックを受けなければならず、ＩＶでの患者は、日に数回そのようなヘパリンロックを受けなければならない。時間の経過と共に、ヘパリンロックを行う不便さおよび費用が増す可能性がある。さらに、ヘパリンロック液中での個別の抗菌剤の組合せの必要性が、処置をさらに複雑にし、費用を追加し、ヘパリンロックへの抗菌剤の追加は通常、ルーメン内部およびルーメンからの開口部でのみ有効である。感染の危険が最大である皮膚を介して貫通する点を含めた、挿入カテーテルを取り巻く領域内での感染の危険がほとんど低減しない。
【０００６】
これら全ての理由から、連続使用の間に挿入カテーテルをロックするための改良型の方法、組成物、およびキットを提供することが望まれる。そのようなロック方法は、カテーテル・ルーメンの汚損を妨げ、かつ／または感染の可能性を低減し、好ましくはその両方を行うべきである。特に、そのような方法、組成物、およびキットは、実施が容易であり、調製の必要が最小限であるか、全くなく、低コストであり、血液透析および血液濾過カテーテル、ＩＶカテーテル、腹膜透析カテーテルなどを含めたほとんどまたは全てのタイプの挿入カテーテルと共に使用できる。これらの目的の少なくともいくつかが、本明細書で以後説明する発明によって達成される。
【０００７】
２．背景技術の説明
米国特許第４９２９２４２号が、静脈内カテーテルでのヘパリンロックを提供するための、グリセロールを含み、血液の密度と同じ密度を有する溶液を説明する。米国特許第５０７７２８１号は、透析カテーテルおよび他の血管プロテーゼでの凝固を妨げるためのタウロリン化合物を含む抗菌溶液を説明する。ＰＣＴ  ＷＯ  ００／０１３９１は、タウリンアミド誘導体を含む抗菌ロックを説明する。本発明の譲受人に譲渡された米国特許第５８０７３５６号、５９３１８２９号、５９８９２３９号、５９９７５２４号、６００７５１６号、６１２０４９２号、６１３２４１５号、および６１９３６８４号、ならびに同時係属出願０９／００３７７２号および０９／１６１０４４号が、本出願に関連している。上述した特許および係属出願の全てを参照により本明細書に組み込む。
【０００８】
【特許文献１】米国特許第４９２９２４２号
【特許文献２】米国特許第５０７７２８１号
【特許文献３】ＰＣＴ  ＷＯ  ００／０１３９１
【特許文献４】米国特許第５８０７３５６号
【特許文献５】米国特許５９３１８２９号
【特許文献６】米国特許第５９８９２３９号
【特許文献７】米国特許第５９９７５２４号
【特許文献８】米国特許第６００７５１６号
【特許文献９】米国特許第６１２０４９２号
【特許文献１０】米国特許第６１３２４１５号
【特許文献１１】米国特許第６１９３６８４号
【特許文献１２】米国特許出願０９／００３７７２
【特許文献１３】米国特許出願０９／１６１０４４
【０００９】
（発明の概要）
本発明は、皮下および経皮挿入可能カテーテルの改良型ロックおよび／または消毒のための装置およびキットを提供する。カテーテルは通常、体腔に対して開いた遠位端を有する。最も一般的には、カテーテルは、遠位端が血管、通常は静脈、しかしいくつかの場合には動脈内に挿入するか、または取り付けられる血管内カテーテルである。例示の血管内カテーテルは、血液透析および血液濾過カテーテルや静脈内カテーテルなどを含む。静脈内カテーテルは、流体注入や薬物送給などを含めた様々な目的で使用することができる。脈管構造以外に取り付けられるカテーテルには、腹膜腔などに対して開かれる腹膜透析カテーテルが含まれる。
【００１０】
本発明のカテーテルは、経皮挿入可能または皮下挿入可能であってよい。「経皮挿入可能」により、カテーテルの遠位端がターゲット体腔に取り付けられる、または体腔内部に挿入可能であり、カテーテルの近位端が患者の外部に位置することを意味する。したがって、カテーテルの中間部分が、患者の皮膚を通過または貫通し、カテーテルの近位端は通常、注入管、シリンジ、溶液バッグなどの選択的取付けを可能にするためのハブを有する。最も一般的には、近位取付ハブは、ルア・フィッティングを有する。「皮下挿入可能」により、カテーテル全体が皮膚の下に挿入可能である場合があり、皮膚を介して延在するカテーテル部分が存在しないことを意味する。そのような皮下挿入可能カテーテルは通常、近位端で、完全に挿入されたハブに取り付けられる。ハブは、針または他の貫通要素を介する経皮的アクセスを可能にする。治療セッションが完了した後、針または他の貫通要素が取り除かれ、次いで、カテーテルおよび近位ハブの全ての部分が皮膚の下に配置される。そのような皮下挿入可能カテーテルおよび近位アクセス・ハブの例は、本発明の譲受人に譲渡された上述した同時係属出願、および米国特許第５８０７３５６号で説明されており、それらの開示全てを参照により本明細書に組み込んだ。
【００１１】
上述した背景の項で説明したように、経皮挿入可能カテーテルと皮下挿入可能カテーテルの両方が、特に、血管または他の体腔内に挿入可能である、または血管または他の体腔に取り付けられた遠位端内、および遠位端の周りで汚損および詰まりを受ける。そのような汚損の危険を低減するために、本発明は、カテーテル、組成物、ならびに１つまたは複数のルーメン内に低級アルコールと添加剤の溶液を有する挿入可能カテーテルを設けたキットを提供する。低級アルコールは通常、エタノール、プロパノール、またはブタノール、好ましくはイソプロパノールである。驚くべきことに、これらの低級アルコールは、ルーメンの汚損および詰まりを妨げる、特に血管内カテーテルのルーメン内部の血塊形成を妨げるのに効果的であることが判明している。ヘパリン溶液を調製して使用する必要なく血塊形成を妨げることができることが重要な利点である。さらに、低級アルコールが、感染を妨げることができる追加の能力を有する。添加剤が、抗菌物質、典型的にはタウロリジンまたはトリクロサン、あるいは抗凝固物質、典型的にはリボフラビン、クエン酸ナトリウム、エチレンジアミンテトラ酢酸、またはクエン酸を含むことができる。低級アルコールと添加剤のこの溶液組合せは、アルコールが抗菌または抗凝固添加剤の効果を増大させ、一方、添加剤が、アルコールの生じ得る毒素効果を低減するので特に有効である。したがって、以下により詳細に説明するように、カテーテル汚損の低減と感染の妨げとの両方を、簡便な様式でカテーテル・ルーメンに導入される、一般的に利用可能であり広く受け入れられている材料の使用と共に達成することができる。
【００１２】
挿入可能カテーテルの感染を妨げる、または防止することができる能力は、カテーテル本体の少なくとも一部が、低級アルコールおよび添加剤材料がカテーテル本体に浸透し、好ましくはカテーテルを取り巻く組織領域内へ外側に進むことができるようにするのに十分な孔を有するカテーテルを利用することによって改善することができる。そのような有孔または部分有孔カテーテル本体の使用は、開示全体を参照により本明細書に組みこむ米国特許第５０７７２８１号で教示されるものなど、多くの抗菌ロック溶液で有用な場合があるが、本発明の低級アルコールを用いると特に有用である。低級アルコールは比較的低い分子量および極性構造を有し、これにより、低級アルコールが、多くの有孔材料内に容易に浸透し、任意選択で有効材料を通ることができることを理解されたい。カテーテル本体の構成に関する例示有孔材料は、シリコーンゴムや延伸ＰＴＦＥ（例えばＧＯＲＥ−ＴＥＸ（登録商標）、医療用膜）などを含む。そのような材料は、管状カテーテル本体として形成しても、カテーテル本体内に個別構成要素として組み込んでもよい。
【００１３】
第１の態様では、低級アルコールと添加剤を含む溶液が、挿入可能カテーテルをロックするための材料（薬剤の場合もある）の製造に使用される。カテーテルのルーメンは体腔、典型的には血管や腹膜などに対して開いている。低級アルコールは、エタノール、プロパノール、およびブタノールからなる群から選択され、現在好ましいアルコールはイソプロパノールである。低級アルコールは純粋でもよいが、より一般的には水溶液であり、典型的には体積で１％〜９９％、通常は体積で５％〜９５％である。添加剤は、タウロリジンおよびトリクロサンからなる群から選択される抗菌剤、またはリボフラビン、クエン酸ナトリウム、エチレンジアミンテトラ酢酸、およびクエン酸からなる群から選択される抗凝固剤を含むことができる。挿入可能カテーテルは、遠位端で血管や腹膜腔などに取り付けられた経皮カテーテルであってよい。あるいは、挿入可能カテーテルは、遠位端で血管や腹膜腔などに取り付けられた皮下挿入可能カテーテルであってよい。
【００１４】
第２の態様では、抗菌溶液は、挿入可能カテーテルを消毒する材料の製造で使用される。上述したように、例示の好ましい抗菌溶液は、少なくとも１つの低級アルコール、好ましくはエタノール、プロパノール、またはブタノール、最も好ましくはイソプロパノールと、少なくとも１つの他の抗菌剤、好ましくはタウロリジンもしくはトリクロサン、または抗凝固化合物、好ましくはリボフラビン、クエン酸ナトリウム、エチレンジアミンテトラ酢酸、もしくはクエン酸とを含む。挿入可能カテーテルは、皮下挿入可能または経皮挿入可能であってよい。
【００１５】
本発明の第３の態様では、挿入可能カテーテルを満たすためのロック組成物が、少なくとも１つの低級アルコールと、少なくとも１つの他の抗菌または抗凝固化合物とを含む。低級アルコールが、エタノール、プロパノール、およびブタノールからなる群から選択され、現在好ましいアルコールはイソプロパノールである。少なくとも１つの他の抗菌剤が、タウロリジンおよびトリクロサンからなる群から選択され、少なくとも１つの抗凝固剤が、リボフラビン、クエン酸ナトリウム、エチレンジアミンテトラ酢酸、およびクエン酸からなる群から選択される。
【００１６】
本発明の第４の態様では、挿入可能カテーテルをロックするためのキットが、低級アルコールと添加剤の溶液の体積を保持する容器（任意選択でシリンジ）と、溶液でカテーテルのルーメンを満たすことを含む方法を示す取扱説明とを備える。キットはさらに、ボックス、トレイ、管、ポーチなど、容器と取扱説明の両方を保持するためのパッケージを備える。低級アルコールは通常、エタノール、プロパノール、およびブタノールからなる群から選択され、好ましくはイソプロパノールである。添加剤は、抗菌剤、典型的にはタウロリジンもしくはトリクロサン、または抗凝固剤、典型的にはリボフラビン、クエン酸ナトリウム、エチレンジアミンテトラ酢酸、もしくはクエン酸である。容器内の溶液の体積は、典型的には１ｍｌ〜２０ｍｌの範囲内にあり、好ましくは２ｍｌ〜１０ｍｌの範囲内にあり、通常は約２ｍｌ〜４ｍｌである。さらに、容器は通常、挿入可能カテーテル内に溶液を直接導入することができるようにするシリンジを備える。
【００１７】
（特定の実施形態の説明）
次に図１Ａおよび図１Ｂを参照しながら、経皮挿入静脈カテーテル１０をロックする本発明による方法を説明する。静脈カテーテル１０は、患者への注入のために、患者の皮膚Ｓを介して静脈Ｖ内に挿入される。注入源から患者を切り離すことが望まれるとき、凝固によって生じる詰まりおよび汚損を妨げ、好ましくはさらに感染の危険を妨げるようにカテーテルをロックする必要がある。図１Ａに示されるように、通常、ＩＶ溶液を含む管１２が、カテーテル１０の近位ハブ１４に接続されている。ＩＶライン１２が切り離され、カテーテル１０は通常、食塩水または他の洗浄溶液を用いて洗浄される。洗浄が完了した後、低級アルコールと添加剤の溶液を導入して、図１Ｂに示されるように、カテーテル１０の内部ルーメンを満たすことができる。通常、（上述した）十分な溶液体積が導入されて、ルーメンを完全に満たし、カテーテルの遠位端１６から流れる余剰分は最小限である。しかし、血管またはほとんどの他の体腔内への余剰溶液の損失は通常問題ではない。次いで、溶液の「カラム」が内部ルーメンを占有し、近位ハブ１４が封止され、溶液を所定の位置に保つ助けをする。低級アルコールと添加剤の溶液が、遠位端１６での詰まりおよび凝固を効果的に妨げ、かつカテーテル全体にわたって感染を妨げることが判明している。ＩＶ源に患者を再び接続することが望まれるとき、溶液が除去され、カテーテル・ルーメンが食塩水で洗浄される。
【００１８】
次に図２Ａ〜２Ｃを参照しながら、血液透析アクセスに使用される皮下挿入カテーテル２０のロックを説明する。カテーテル２０は、ターゲット血管ＢＶ、典型的には静脈と、挿入ポート２２との間に挿入される。血液透析中、カテーテル２０を通し、ポート２２を通し、ポート２２に経皮的にアクセスするために使用される針Ｎおよび接続ライン２３を通して外部に血液を引き出すことができる。あるいは、ポートおよびカテーテルを使用して、治療された血液を患者に戻すことができる。上述した参照により組み込む同時係属出願で説明されているように、ポートとカテーテルの組合せは、通常は対で使用されて、血液引出しと血液返還の両方を可能にする。
【００１９】
血液透析（血液濾過）治療を終了することが望まれるとき、図２Ｂに示されるように、（典型的には、接続ライン２３に取り付けられたシリンジから）針Ｎを介して食塩水が導入されて、ルーメンを洗浄する。洗浄が完了した後、低級アルコールと添加剤の溶液を含むシリンジ２６などの容器が、ポート２２／ライン２３を介して、カテーテル２０のルーメン内に注入されて、食塩水を除去し、カテーテルをロックする。溶液は、針の端部が引き抜かれ、弁２２が閉じてカテーテル２０の近位端を封止した後に、カテーテル２０内部で所定の位置に留まる。特定の利点として、針内の残余溶液が、針によって残された組織路ＴＴ内、および内部弁の上流のポート２２の部分に分散される。溶液中のアルコールまたは他の抗菌添加剤の存在はさらに、ポートと組織路の両方での感染を妨げる。
【００２０】
また、図３Ａ〜３Ｃに示されるように、本発明の方法を使用して、腹膜透析カテーテル３０などの非血管カテーテルをロックすることができる。腹膜透析治療後、図３Ａに示されるように、使用された透析物がカテーテル３０から引き出される。透析物が十分に除去された後、図３Ｂに示されるように、透析カテーテル３０を任意選択で洗浄することができる。洗浄後、図３Ｃに示されるように、低級アルコールと添加剤の溶液が腹膜透析カテーテル３０に導入され、それにより血管カテーテルに関して前述したようにカテーテルのルーメンを満たす。腹膜透析カテーテルに対するアルコール・ロックと添加剤の使用は、感染を妨げるのに特に有利である。
【００２１】
次に図４を参照する。カテーテルをロックするための低級アルコールと他の抗菌または抗凝固材料との使用は、少なくとも部分的に有孔材料から形成される挿入カテーテルを利用することによって機能向上させることができる。有孔カテーテル本体４２のルーメン４０が、低級アルコールと別の抗菌または抗凝固化合物との溶液で満たされるとき、溶液は、図４の矢印によって示されるように、カテーテル本体内に、かつ好ましくはカテーテルを取り巻く組織Ｔ内に外側へ浸透することができる。したがって、溶液の抗菌性は、カテーテルの内部ルーメンに限定されず、カテーテルの表面上、およびカテーテル本体を直に取り巻く組織領域内でも効果的である。カテーテル本体に関して特に適した材料および有孔性は上述した。
【００２２】
挿入可能カテーテルを満たすためのロック組成物は、少なくとも１つの低級アルコールと、少なくとも１つの他の抗菌または抗凝固化合物とを含む。好ましい組成物は、約１％〜９９％の範囲内にある低級アルコールと約１％〜９９％の範囲内にあるタウロリジン、約１％〜９９％の範囲内にある低級アルコールと約１％〜９９％の範囲内にあるトリクロサン、約１％〜９９％の範囲内にある低級アルコールと約１％〜９９％の範囲内にあるリボフラビン、約１％〜９９％の範囲内にある低級アルコールと約１％〜９９％の範囲内にあるクエン酸ナトリウム、約１％〜９９％の範囲内にある低級アルコールと約１％〜９９％の範囲内にあるエチレンジアミンテトラ酢酸、および約１％〜９９％の範囲内にある低級アルコールと約１％〜９９％の範囲内にあるクエン酸を含む。抗凝固剤の好ましい濃度は約４体積％である。最も好ましくは、ロック組成物の濃度が、イソプロパノールを約１７．５体積％と、クエン酸ナトリウムを約４体積％含む。食塩水、水、または標準ヘプリン溶液も、任意の上述した組成物に加えることができる。
【００２３】
次に図５を参照すると、本発明によるキットが、少なくとも、低級アルコールと添加剤の溶液の体積を保持するためのシリンジなどの容器６０を備える。体積は通常、上述した範囲内にある。さらに、キットは、カテーテルの連続使用の間に容器からカテーテル本体のルーメン内に溶液を導入することによって挿入カテーテルをロックする、かつ／または消毒するための方法を示す取扱説明（ＩＦＵ）を含む。通常、キットはさらに、ボックス、管、トレイ、ポーチなどを含む任意の従来の医療デバイス・パッケージなどのパッケージ６２を含む。
【００２４】
以上が本発明の好ましい実施形態の完全な説明であるが、様々な代替形態、修正形態、および等価形態を使用することができる。したがって、上の説明は、頭書の特許請求の範囲によって定義される発明の範囲を制限するものとみなすべきではない。
【図面の簡単な説明】
【図１Ａ】
経皮カテーテルをロックし消毒するための本発明による方法を例示する図である。
【図１Ｂ】
経皮カテーテルをロックし消毒するための本発明による方法を例示する図である。
【図２Ａ】
皮下挿入カテーテルをロックし消毒するための本発明による方法を例示する図である。
【図２Ｂ】
皮下挿入カテーテルをロックし消毒するための本発明による方法を例示する図である。
【図２Ｃ】
皮下挿入カテーテルをロックし消毒するための本発明による方法を例示する図である。
【図３Ａ】
腹膜透析カテーテルをロックし消毒するための本発明による方法を例示する図である。
【図３Ｂ】
腹膜透析カテーテルをロックし消毒するための本発明による方法を例示する図である。
【図３Ｃ】
腹膜透析カテーテルをロックし消毒するための本発明による方法を例示する図である。
【図４】
抗菌ロック流体が挿入カテーテル本体内に、好ましくはカテーテル本体を取り巻く組織内に浸透する本発明の好ましい態様を例示する図である。
【図５】
本発明の原理に従って構成されたキットを例示する図である。
【図１Ａ】
2004516041.tif 000003
【図１Ｂ】
2004516041.tif 000004
【図２Ａ】
2004516041.tif 000005
【図２Ｂ】
2004516041.tif 000006
【図３Ａ】
2004516041.tif 000007
【図３Ｂ】
2004516041.tif 000008
【図３Ｃ】
2004516041.tif 000009
【国際公開パンフレット】
2004516041.tif 000010
2004516041.tif 000011
2004516041.tif 000012
2004516041.tif 000013
2004516041.tif 000014
2004516041.tif 000015
2004516041.tif 000016
2004516041.tif 000017
2004516041.tif 000018
2004516041.tif 000019
2004516041.tif 000020
2004516041.tif 000021
2004516041.tif 000022
2004516041.tif 000023
2004516041.tif 000024
2004516041.tif 000025
2004516041.tif 000026
2004516041.tif 000027
2004516041.tif 000028
2004516041.tif 000029
2004516041.tif 000030
2004516041.tif 000031
2004516041.tif 000032
2004516041.tif 000033
【国際調査報告】
2004516041.tif 000034